(57)【要約】      （修正有）【課題】靴を履いたままでの着脱が容易であり、カバー胴部の上部を足首に固定するので、装着した状態で歩いてもずれにくい靴用レインカバーを提供する。【解決手段】靴のソールのヒールより前の部分から靴の爪先部分を覆うカバー胴部１０と、カバー胴部の上部を足首に固定する巻止め部１４とを備え、靴のヒールが露出され、また、巻止め部の上部に、足首に着脱自在に巻き付け可能なベルベットファスナ１６を設ける。【選択図】図１
0003172523.tif 000002
【実用新案登録請求の範囲】
【請求項１】
靴の外観を覆い雨水を遮る靴用レインカバーにおいて、
該靴のソールのヒールより前の部分から該靴の爪先部分を覆うカバー胴部と、
該カバー胴部の上部を足首に固定する巻止め部とを備え、
該靴のヒールが露出されることを特徴とする靴用レインカバー。
【請求項２】
前記巻止め部の上部に、足首に着脱自在に巻き付け可能なベルベットファスナが設けられていることを特徴とする請求項１記載の靴用レインカバー。
【請求項３】
前記カバー胴部の接地面に、弾性材料又は発泡材料を用いた滑り止め部材を備えることを特徴とする請求項１又は請求項２記載の靴用レインカバー。
【請求項４】
前記カバー胴部の甲を覆う部分に、該甲の稜線に沿ってボックススリーツを有し、
該ボックススリーツを跨ぐように着脱自在にベルベットファスナが設けられていることを特徴とする請求項１〜請求項３のいずれかに記載の靴用レインカバー。
【考案の詳細な説明】
【技術分野】
【０００１】
本考案は、靴の外観を覆い雨水を遮る靴用レインカバーに関する。
【背景技術】
【０００２】
従来より、ハイヒールやパンプスやサンダル等の靴を履いた上から、靴を覆って雨水を遮る靴用レインカバーがある。例えば、特許文献１に示される防水履物カバーは、ソールと、アッパと、バンプと、ブーツ胴部とからなり、靴全体を完全に覆ってしまうと共に、ブーツ状で長靴のように足首の上部まで広く覆う構造である。
【先行技術文献】
【特許文献】
【０００３】
【特許文献１】実用新案登録第３１６２４７８号公報
【考案の概要】
【考案が解決しようとする課題】
【０００４】
しかしながら、従来の防水履物カバーは、靴及び足を広く覆ってしまう構造のために、靴を履いたままでの着脱をズムーズに行うことができない。特に、雨水に濡れた状態で従来の防水履物カバーを外す場合、靴全体が防水履物カバーに密着してしまい外すことが困難である。
【０００５】
本考案は、このような事情に鑑みてなされたもので、靴を履いたままでの着脱が容易であり、カバー胴部の上部を足首に固定するので、装着した状態で歩いてもずれにくい靴用レインカバーを提供することにある。
【課題を解決するための手段】
【０００６】
請求項１記載の靴用レインカバーは、靴のソールのヒールより前の部分から靴の爪先部分を覆うカバー胴部と、カバー胴部の上部を足首に固定する巻止め部とを備え、靴のヒールが露出されることを特徴とする。
【０００７】
請求項２記載の靴用レインカバーは、巻止め部の上部に、足首に着脱自在に巻き付け可能なベルベットファスナが設けられていることを特徴とする。
【０００８】
請求項３記載の靴用レインカバーは、カバー胴部の接地面に、弾性材料又は発泡材料を用いた滑り止め部材を備えることを特徴とする。
【０００９】
請求項４記載の靴用レインカバーは、カバー胴部の甲を覆う部分に、甲の稜線に沿ってボックススリーツを有し、ボックススリーツを跨ぐように着脱自在にベルベットファスナが設けられていることを特徴とする。
【考案の効果】
【００１０】
請求項１の考案によれば、靴のソールのヒールより前の部分から靴の爪先部分を覆うカバー胴部と、カバー胴部の上部を足首に固定する巻止め部とを備え、靴のヒールが露出される構造であることから、靴を履いたままでの着脱が容易である。また、カバー胴部の上部を足首に固定するので、装着した状態で歩いてもずれにくい。
【００１１】
請求項２の考案によれば、巻止め部の上部に、足首に着脱自在に巻き付け可能なベルベットファスナが設けられていることから、足首への固定や取り外しが容易である。
【００１２】
請求項３の考案によれば、カバー胴部の接地面に、弾性材料又は発泡材料を用いた滑り止め部材を備えることから、滑りによる転倒を防止することができる。
【００１３】
請求項４の考案によれば、カバー胴部の甲を覆う部分に、甲の稜線に沿ってボックススリーツを有し、ボックススリーツを跨ぐように着脱自在にベルベットファスナが設けられていることから、靴や足にカバー胴部をフィットさせることができると共に、着脱が容易である。
【図面の簡単な説明】
【００１４】
【図１】本考案に係る靴用レインカバーの一例を示す説明図である。
【図２】同靴用レインカバーを示す説明図である。
【考案を実施するための形態】
【００１５】
以下、本考案の形態について図面を参照しながら具体的に説明する。図１は、本考案に係る靴用レインカバーの一例を示す説明図である。図２は、同靴用レインカバーを示す説明図である。
【００１６】
図において、靴用レインカバー１は、靴の外観を覆い雨水を遮るものである。図では、靴Ｓとしてハイヒールの例で説明しているが、ハイヒールに限らず、例えばパンプスやサンダル等にも適用可能で、靴の種類によって制限されるものではない。靴用レインカバー１は、カバー胴部１０や巻止め部１４とから構成されている。
【００１７】
カバー胴部１０は、ポリエステルや塩化ビニル等の合成樹脂製の略袋状の形状で、色は特に限定されるものではないが透明や半透明が好ましい。カバー胴部１０は、靴ＳのソールＳｏのヒールＨより前の部分から靴Ｓの爪先Ｔ部分を覆う略袋状である。また、カバー胴部１０の上部には、足Ｆの足首Ａに固定する巻止め部１４を備えている。カバー胴部１０は、足Ｆの爪先Ｔと甲Ｋを覆う袋状で、その両脇から足首Ａ方向に片状の巻止め部１４が伸びている。そして、巻止め部１４の上部には、足首Ａを巻くことが可能な着脱自在のベルベットファスナ１６が設けられている。そして、図に示すように、カバー胴部１０は、ヒール側開口部１０ａからヒールＨが露出された状態で靴Ｓを覆う構造である。
【００１８】
さらに、カバー胴部１０の足Ｆの甲Ｋを覆う部分には、甲Ｋの稜線に沿ってボックススリーツ１２を有し、ボックススリーツ１２を跨ぐように着脱自在にベルベットファスナ２２が設けられている。また、カバー胴部１０の接地面に、合成樹脂やゴム等の弾性材料や発泡材料を用いた滑り止め部材２０を備えている。
【００１９】
次に、本実施の形態における靴用レインカバー１の使用法を説明する。まず、靴Ｓを履き、靴Ｓを履いたままの状態で、カバー胴部１０のヒール側開口部１０ａに爪先から足Ｆを挿入する。爪先が、カバー胴部１０の先端まで入った状態で、巻止め部１４を足首Ａに伸ばし、巻止め部１４の上方のベルベットファスナ１６を足首Ａに巻き付けて固定する。また、カバー胴部１０のボックススリーツ１２を跨ぐベルベットファスナ２２をとめることにより、カバー胴部１０を、甲Ｋや靴Ｓにフィットするようにする。尚、靴用レインカバー１を外すときは、装着の逆の手順で外すようにすればよい。
【００２０】
このような構造の靴用レインカバー１によれば、靴ＳのソールＳｏのヒールＨより前の部分から靴Ｓの爪先Ｔ部分を覆うカバー胴部１０と、カバー胴部１０の上部を足首に固定する巻止め部１４とを備え、靴ＳのヒールＨが露出される構造であることから、靴Ｓを履いたままでの装着ができ、着脱が容易である。また、カバー胴部１０の上部を足首Ａに固定するので、装着した状態で歩いてもずれにくい。さらに、ヒールＨの高さまで防水可能で靴下やストッキングを汚さないのは当然であるが、必要最小限の部分を覆っているので、意匠性にも優れている。
【００２１】
また、巻止め部１４の上部に、足首Ａに着脱自在に巻き付け可能なベルベットファスナ１６が設けられていることから、足首Ａへの固定や取り外しが容易である。尚、ベルベッドファスナ１６を設けず、巻止め部１４を直接足首Ａに巻き止めることも可能である。
【００２２】
さらに、カバー胴部１０の接地面に、弾性材料又は発泡材料を用いた滑り止め部材２０を備えることから、滑りによる転倒を防止することができる。尚、滑り止め部材２０の材質は、滑り止めの機能を有するものであればよく、具体的な材質により限定されるものではない。
【００２３】
さらに、カバー胴部１０の甲Ｋを覆う部分に、甲Ｋの稜線に沿ってボックススリーツ１２を有し、ボックススリーツ１２を跨ぐように着脱自在にベルベットファスナ２２が設けられていることから、靴Ｓや足Ｆの形状に依存することなくカバー胴部１０をフィットさせることができると共に、着脱が容易である。尚、ベルベットファスナ２２に代えて、他の固定手段を用いることも可能である。
【００２４】
尚、ベルベッドファスナ１６や滑り止め部材２０やボックススリーツ１２やベルベッドファスナ２２は、靴用レインカバー１の構造上は必須ではないが、これらを用いることが望ましい。
【産業上の利用可能性】
【００２５】
本考案により、靴を履いたままでの着脱が容易であり、カバー胴部の上部を足首に固定するので、装着した状態で歩いてもずれにくい靴用レインカバーを提供することができる。
【符号の説明】
【００２６】
１・・・・・靴用レインカバー
１０・・・・カバー胴部
１０ａ・・・ヒール側開口部
１２・・・・ボックススリーツ
１４・・・・巻止め部
１６・・・・ベルベットファスナ
２０・・・・滑り止め部材
２２・・・・ベルベットファスナ
【図１】
0003172523.tif 000003
【図２】
0003172523.tif 000004